(57)【要約】【課題】機器の薄型化を維持しながら折り曲げ光学系を構成する各光学レンズ等を保持する各鏡枠に対して外部から加わる負荷による悪影響を抑止しかつ各鏡枠の相対的な位置関係を確実に保持し得る構造を備えたカメラ及びレンズ装置及び携帯型情報機器を提供する。【解決手段】内部を保護する外装部材（１１，１２，１３）と、入射光束の光軸を折り曲げる折り曲げ光学系を保持する鏡枠２０と、折り曲げ光学系のうち少なくとも折り曲げられた後の光軸が通過する光学系に対応する鏡枠のうち折り曲げられた後の光軸に対して略平行する二面を挟持するように保持する鏡枠保持手段（４１，３９ｂ，２０ｃ，２２ａ）とを具備して構成する。【選択図】図３
2005257784.tif 000002
【特許請求の範囲】
【請求項１】
内部を保護する外装部材と、
入射光束の光軸を折り曲げる折り曲げ光学系を保護する鏡枠と、
上記折り曲げ光学系のうち少なくとも折り曲げられた後の光軸が通過する光学系に対応する上記鏡枠のうち、上記折り曲げられた後の光軸に対して略平行する二面を挟持するように保持する鏡枠保持手段と、
を具備して構成されていることを特徴とするカメラ。
【請求項２】
上記鏡枠保持手段は、上記鏡枠における上記折り曲げられた後の光軸に対して略平行する二面のうちの一方の面を保持する第１の保持部材と、同鏡枠の他方の面を保持する第２の保持部材とを備え、
かつ上記鏡枠保持手段は、上記鏡枠を当該カメラの前後方向から挟持するように配設されていることを特徴とする請求項１に記載のカメラ。
【請求項３】
上記鏡枠保持手段の上記第１の保持部材又は上記第２の保持部材のうち少なくとも一方は、上記外装部材の一部に配設されていることを特徴とする請求項２に記載のカメラ。
【請求項４】
上記鏡枠保持手段が配設される上記外装部材は、上記鏡枠内部への入射光束を通過させる開口部を備えて形成される前側カバーであることを特徴とする請求項３に記載のカメラ。
【請求項５】
上記鏡枠保持手段によって挟持される上記鏡枠の部位は、上記鏡枠の内部に設けられ入射光束の光軸を折り曲げる反射光学部材と入射光束に基づいて結像される被写体像を受光して光電変換処理を行なう撮像素子との間の部位であることを特徴とする請求項１に記載のカメラ。
【請求項６】
上記鏡枠保持手段は、上記鏡枠の位置決めをおこなう位置決め部を有していることを特徴とする請求項１に記載のカメラ。
【請求項７】
上記位置決め部は、これにより保持される上記鏡枠の面に対して平行となる面内で上記鏡枠の位置決めをおこなうことを特徴とする請求項６に記載のカメラ。
【請求項８】
上記鏡枠保持手段は、上記鏡枠を保持すべき二面のうち少なくともいずれか一方の面を付勢する付勢手段を有していることを特徴とする請求項１又は請求項２に記載のカメラ。
【請求項９】
上記鏡枠の終端がわには、上記折り曲げ光学系によって結像される被写体像を受光して光電変換処理をおこなう撮像素子が配設され、
上記付勢手段は、上記撮像素子の近傍に配設され、かつ上記鏡枠を保持すべき二面のうち少なくとも一面を付勢するように配設されていることを特徴とする請求項８に記載のカメラ。
【請求項１０】
上記付勢手段は、さらに上記第１の保持部材又は上記第２の保持部材のいずれか一方と上記鏡枠とを導通させる導通部材であることを特徴とする請求項８又は請求項９に記載のカメラ。
【請求項１１】
上記付勢手段は、上記撮像素子と一体的に固設される板ばねであることを特徴とする請求項９又は請求項１０に記載のカメラ。
【請求項１２】
上記鏡枠保持手段は、上記第１の保持部材又は上記第２の保持部材の少なくともいずれか一方の保持部材と上記鏡枠とを電気的に接続する導電性部材によって形成されていることを特徴とする請求項１又は請求項２に記載のカメラ。
【請求項１３】
上記導電性部材は、さらに上記鏡枠の一部を簡易的に保持する接着性を有していることを特徴とする請求項１２に記載のカメラ。
【請求項１４】
入射光束の光軸を折り曲げる折り曲げ光学系を保護する鏡枠と、
上記折り曲げ光学系のうち少なくとも折り曲げられた後の光軸が通過する光学系に対応する上記鏡枠のうち、上記折り曲げられた後の光軸に対して略平行する二面を挟持するように保持する鏡枠保持手段と、
を具備することを特徴とするレンズ装置。
【請求項１５】
上記鏡枠保持手段は、上記鏡枠の一方の面を保持する第１の保持部材と、同鏡枠の他方の面を保持する第２の保持部材とを備え、
上記鏡枠保持手段は、上記鏡枠を当該カメラの前後方向から挟持するように構成されていることを特徴とする請求項１４に記載のレンズ装置。
【請求項１６】
上記鏡枠保持手段により挟持される上記鏡枠の一部は、上記鏡枠の内部に設けられ入射光束の光軸を折り曲げる反射光学部材と入射光束に基づいて結像する被写体像を受けて光電変換処理を行なう撮像素子との間の部位であることを特徴とする請求項１５に記載のレンズ装置。
【請求項１７】
内部を保護する外装部材と、
入射光束の光軸を折り曲げる折り曲げ光学系を保護する鏡枠と、
上記折り曲げ光学系のうち少なくとも折り曲げられた後の光軸が通過する光学系に対応する上記鏡枠のうち、上記折り曲げられた後の光軸に対して略平行する二面を挟持するように保持する鏡枠保持手段と、
を具備することを特徴とする携帯型情報機器。
【発明の詳細な説明】
【技術分野】
【０００１】
この発明は、カメラ及びレンズ装置及び携帯型情報機器、詳しくは複数の光学レンズにより形成される撮影光学系及びその駆動手段等からなるレンズ装置や、このレンズ装置によって結像される光学像を画像データとして取得し記録するカメラ及びこれと同等のカメラ機能を具備した携帯型情報機器に関するものである。
【背景技術】
【０００２】
近年、使用者が携帯して使用し得るように形成された各種の電子機器、例えばカメラや携帯電話や小型コンピュータ等の携帯型情報機器等（以下、携帯機器と総称する）が広く普及している。
【０００３】
また、このような従来の携帯機器においては、例えば複数の光学レンズにより形成される撮影光学系及びその駆動手段等からなるレンズ装置を備え、このレンズ装置によって結像される光学像を画像データとして取得し記録するカメラ機能を具備したものが広く普及している。
【０００４】
そして、このような形態の携帯機器は、使用者によって常に携帯し得るように、機器自体の薄型化や小型化及び軽量化についての要求が常にある。特に、機器の薄型化を実現するための撮影光学系として折り曲げ光学系を採用したレンズ装置においては、機器自体の薄型化への要求が厳しい傾向がある。したがって、このような要望（薄型化や小型化や軽量化への要望）に応じるために、従来の携帯機器では、その内部に各種の電気基板や電気部品やレンズ装置等の各種の構成ユニットが極めて密に配設されているのが普通である。
【０００５】
一方、従来の携帯機器においてカメラ機能を実現するために必要となる構成部材としては、例えば撮影光学系等を備えた上記レンズ装置や、このレンズ装置によって形成される光学像を受けて光電変換をおこなう撮像素子（電荷結合素子（Ｃharge Ｃoupled Ｄevice；ＣＣＤ）や相補型金属酸化膜半導体（Ｃomplementary Ｍetal-Ｏxide Ｓemiconductor；ＣＭＯＳ）等）や、この撮像素子から出力される画像信号を受けて所定のデータ処理をおこなう信号処理回路等がある。このうちレンズ装置の主要部を構成する撮影光学系は、複数の光学レンズ等からなり、この複数の光学レンズ等のそれぞれが複数の枠部材（鏡枠）によって保持されており、かつ各鏡枠は相対的な位置が精度良く規定されて各所定の位置に配置されている必要がある。
【０００６】
すなわち、レンズ装置の撮影光学系における各光学レンズ（各鏡枠）の相対的な位置の精度は、撮影光学系によって結像される光学像の画質に影響を及ぼす場合がある。つまり、撮影光学系を構成する複数の光学レンズの相対的な位置、すなわち各鏡枠の相対的な位置を常に精度良く保持することは、当該レンズ装置によって取得される画像の品質を保持するための重要な要素となっている。
【０００７】
ところが、各鏡枠についてそれぞれの位置精度が充分に確保された状態で製造したとしても、これを携帯機器の内部に組み込んだ後、例えば当該携帯機器の使用中に機器の外部から意図しない負荷が加わってしまうといった場合がある。このような場合において、その携帯機器が薄型化や小型化や軽量化がなされたものであると、上述したように機器内部には各種の構成ユニットが極めて密に配設されているので、当該機器の外部から加わる負荷が当該機器内部の構成ユニットの一つであるレンズ装置に悪影響を及ぼすことがある。この場合における悪影響とは、例えばレンズ装置の各鏡枠を変形させてしまうような場合である。このような場合には、各鏡枠が保持する各光学レンズ間に相互的な位置ずれが生じてしまうこともあり、これによって撮影光学系の光学特性に対して悪影響が生じることになる。したがって、薄型化や小型化や軽量化が施された従来の携帯機器においては、機器内部に組み込まれた後に外部から加わる負荷が、機器内部のレンズ装置等の構成部材を変形させる等の問題を抑止するための工夫が必要となる。そこで、これについては、例えば特開２０００−５６３７２号公報や特開２００１−１０８８７９号公報等によって、従来より種々の提案がなされている。
【０００８】
上記特開２０００−５６３７２号公報によって開示されているカメラは、前後方向に伸縮し光軸が直線状に設定される撮影光学系を具備し、この撮影光学系を保持する鏡枠を含むレンズ装置が設けられるカメラ本体を、当該カメラの前側カバー及び後側カバーに対して固定することなく、所定の位置決め手段によって保持し、これにより前側カバー及び後側カバーの内部にて浮動状態で保持するようにしている。これにより、鏡枠を含むカメラ本体は、当該カメラの前後方向、即ち撮影光学系の光軸に沿う方向にのみガタを許容するようになっている。したがって、当該手段によればカメラ本体に歪み等を生じさせることなく当該カメラ本体を外装部材の内部における所定の部位に組み込むことができ、よってレンズ装置に対しては、外部からの負荷が加わらないように構成されている。
【０００９】
また、上記特開２００１−１０８８７９号公報によって開示されているカメラは、機器の薄型化を実現するための折り曲げ光学系を採用したレンズ装置を内部に具備したものである。そして、このカメラにおけるレンズ装置は、撮影光学系を保持する鏡枠の一部が外装部材の一部であって当該カメラの前面を覆う前側カバー部材に対してねじ止め等によって固定される構造となっている。
【特許文献１】特開２０００−５６３７２号公報
【特許文献２】特開２００１−１０８８７９号公報
【発明の開示】
【発明が解決しようとする課題】
【００１０】
ところが、上記特開２０００−５６３７２号公報によって開示される手段は、前後方向に伸縮し光軸が直線状に設定される撮影光学系を具備するカメラに関するものであって、撮影光学系の光軸に沿う方向へのガタを許容するようにしているので、カメラ等の機器の前後方向を薄型化した機器に対して適用するには最適な手段ではない。
【００１１】
また、特開２００１−１０８８７９号公報によって開示される手段は、折り曲げ光学系を採用したレンズ装置を構成する鏡枠の一部を外装部材（前側カバー部材）に対してねじ止め固定していることから、外部からの負荷に対する考慮がなされていない。
【００１２】
なお、カメラ等携帯機器の内部に配設されるレンズ装置の各光学レンズ間における相対的な位置が、外部からの意図しない負荷によって影響を受けないようにする構造としては、例えば各光学レンズを保持する各鏡枠自体の剛性を高いものに設定する手段もある。
【００１３】
しかしながら、鏡枠部材を高剛性化して構成した場合には、カメラや情報機器等が大型化してしまう問題があり、機器の薄型化や小型化や軽量化に対する要望を満たし得ないことになるという問題点がある。
【００１４】
本発明は、上述した点に鑑みてなされたものであって、その目的とするところは、機器の薄型化を維持しながら、折り曲げ光学系を構成する各光学レンズ等を保持する各鏡枠に対して外部から加わる負荷による悪影響を抑止し、かつ各鏡枠（各光学レンズ）の相対的な位置関係を確実に保持し得る構造を備えたカメラ及びレンズ装置及び携帯型情報機器を提供することである。
【課題を解決するための手段】
【００１５】
上記目的を達成するために、本発明によるカメラは、内部を保護する外装部材と、入射光束の光軸を折り曲げる折り曲げ光学系を保護する鏡枠と、上記折り曲げ光学系のうち少なくとも折り曲げられた後の光軸が通過する光学系に対応する上記鏡枠のうち、上記折り曲げられた後の光軸に対して略平行する二面を挟持するように保持する鏡枠保持手段とを具備して構成されていることを特徴とする。
【発明の効果】
【００１６】
本発明によれば、機器の薄型化を維持しながら、折り曲げ光学系を構成する各光学レンズ等を保持する各鏡枠に対して外部から加わる意図しない負荷による悪影響を抑止し、かつ各鏡枠（各光学レンズ）の相対的な位置関係を確実に保持し得る構造を備えたカメラ及びレンズ装置及び携帯型情報機器を提供することができる。
【発明を実施するための最良の形態】
【００１７】
以下、図示の実施の形態によって本発明を説明する。  
図１は、本発明の一実施形態のレンズ装置を具備するカメラの主に前面側及び右側面を示す外観斜視図である。図２は図１のカメラの構成部材のうち外装部材の一部（前側カバー）とレンズ装置と本体フレームとを取り出して示す要部分解斜視図である。また、図３は図１のカメラにおけるレンズ装置の内部構成を示す図であって、図１のIII−III線に沿う縦断面図である。そして、図４は、図１のカメラにおける撮像素子近傍の構成部材を取り出して示す要部拡大斜視図である。さらに、図５は、本実施形態のレンズ装置とこれを保持する鏡枠保持部材との位置関係を示す概略図である。
【００１８】
以下に説明する本発明の一実施形態は、複数の光学レンズ等によって構成されるレンズ装置を具備し、このレンズ装置によって結像される光学像を画像データとして取得し記録する携帯機器としてのカメラを例に挙げて示している。
【００１９】
まず、本発明のレンズ装置を具備するカメラの構成についての概略を図１及び図２によって以下に説明する。
【００２０】
本実施形態のカメラ１は、前面側を覆い内部を保護するカバー部材である前側カバー１１と、背面側を覆い内部を保護するカバー部材である後側カバー１３と、両者に挟持され上面及び底面及び両側面を覆い保護するカバー部材である中カバー１２との三部材が組み合わさった形態で構成される外装部材によって、その外面が覆われ内部が保護されている。
【００２１】
この場合において、前側カバー１１と後側カバー１３とは、金属等の導電性を有する部材（金属製）によって形成されている。また、中カバー１２は例えば樹脂等のモールド成形部材によって形成されている。
【００２２】
さらに、前側カバー１１の外面側であって当該カメラ１の前面には、例えば樹脂等のモールド成形部材にて形成される板状の前側パネル１１ｇが、例えば接着剤などの接合手段によって貼着されている。
【００２３】
一方、図１及び図２には図示されていないが、後側カバー１３の外面側であって当該カメラ１の背面の所定の位置には、上述の前側パネル１１ｇと同様に、例えば樹脂等のモールド成形部材にて形成される板状の後側パネル１３ｇが上記前側パネル１１ｇと同様の接合手段によって貼着されている（図３参照）。
【００２４】
これらの外装部材（１１，１２，１３）によって形成される内部空間には、図２に示すように被写体像を形成する撮影光学系やこの撮影光学系をその光軸に沿う方向に移動させる駆動部材や撮影光学系によって結像される光学像を受けて光電変換する撮像素子（電荷結合素子（Ｃharge Ｃoupled Ｄevice；ＣＣＤ）や相補型金属酸化膜半導体（Ｃomplementary Ｍetal-Ｏxide Ｓemiconductor；ＣＭＯＳ）等））及びこの撮像素子からの出力信号を伝達するフレキシブルプリント基板等を備えたレンズ装置であるレンズ鏡枠ユニット２０や閃光発光装置や測光装置や電源装置や液晶表示装置（いずれも特に図示せず）等を保持し当該カメラ１の本体部分を構成する本体フレーム２２のほかに、当該カメラ１を統括的に制御する制御回路等を形成する各種の電気部品が実装される主基板（図示せず）等の構成部材がそれぞれ所定の位置に配設され固定保持されている。
【００２５】
レンズ鏡枠ユニット２０は、後述するように入射光束の光軸を折り曲げる折り曲げ光学系を保持する鏡枠となっている。そして、当該レンズ鏡枠ユニット２０は、本カメラ１の内部の所定の部位に配設された状態においては、前側カバー１１と本体フレーム２２との間に挟持されるように配置されることになる（詳細は後述する。図３参照）。
【００２６】
前側カバー１１の前面側には、上記レンズ鏡枠ユニット２０の撮影光学系における対物レンズ光学系に対応する位置に設けられ外部からの光束を撮影光学系へと入射させる開口となる撮影レンズ窓１１ａと、閃光発光装置の閃光発光部に対応する位置に設けられ当該閃光発光部から閃光を出射させる開口となる閃光発光窓１１ｂ等が設けられている。なお、上記撮影レンズ窓１１ａの開口周縁部には、前枠１１ｈが設けられている。この前枠１１ｈには、当該撮影レンズ窓１１ａの開口からの入射光束を阻害せずに内部の保護及び内部への塵埃等の侵入を抑止する保護用光学部材１１ｊ（図３も参照）が嵌め込まれている。
【００２７】
また、この前側カバー１１の底面側には三脚等のアクセサリ機器を装着するための三脚ネジ孔（図示せず）等が形成されている。そして、上述したように前側パネル１１ｇが前面側の外面に貼着されている。
【００２８】
さらに、前側カバー１１の内壁面において、上記レンズ鏡枠ユニット２０に対向する所定の部位には、当該レンズ鏡枠ユニット２０の内部のレンズを保護する全体鏡枠２０ｅの一部に当接しこれを保持する鏡枠保持手段であって例えば高密度マイクロセルポリウレタンフォーム等のスポンジ状弾性部材４１が配設されている。このスポンジ状弾性部材４１は、レンズ鏡枠ユニット２０がカメラ１の内部における所定の位置に配置された状態で、前側カバー１１の内壁面とレンズ鏡枠ユニット２０の前側の面との間に挟持される形態で配設されている。したがって、このスポンジ状弾性部材４１は、例えば外部からの意図しない負荷が前側カバー１１（前側パネル１１ｇ）の外面から加えられた場合に、全体鏡枠２０ｅの少なくとも一面（本実施形態では前面側）に押圧され、これを当該カメラ１の背面側に向けて付勢する付勢手段であり緩衝材として機能すると共に、レンズ鏡枠ユニット２０（の全体鏡枠２０ｅの一面）を保持する鏡枠保持手段のうちの第１の保持部材としての役目をしている。
【００２９】
中カバー１２の上面側には、写真撮影動作をおこなう際に操作するシャッターボタン１６や当該カメラ１の各種の設定等をおこなう際に操作する設定ダイアル１７（図１参照。図２には図示せず）等の操作部材がそれぞれ所定の位置に配設されている。また、中カバー１２の側面がわ、すなわち当該カメラ１の正面側（前面側）から見て右側面がわには、閉塞された略環形状を形成する通し孔１４ａを備え導電性を有する部材からなる吊り環１４が中カバー１２に対して一体となるように固設されている。この吊り環１４の通し孔１４ａには、例えば当該カメラ１の携帯時に利用する吊りひも（ストラップ）等を通すことができるようになっている。つまり、この吊り環１４は、導電性を有しストラップ等の外部アクセサリを取り付けるためのアクセサリ取付部材である。
【００３０】
また、この中カバー１２は、上述したように例えば樹脂等のモールド成形部材によって形成されている。そして、当該中カバー１２の内面には、例えば金属製の薄板からなるシールド板１２ｊ（図３参照）が接着等の所定の手段によって貼着されている。これにより、当該カメラ１の内部に配設される各種の電気部品から発生する電磁波等の外部への漏洩が抑止されている。
【００３１】
次に、上記カメラ１の内部に配設されるレンズ鏡枠ユニット２０（レンズ装置）の構成について、図２〜図４を用いて以下に詳述する。
【００３２】
本実施形態のレンズ装置であるレンズ鏡枠ユニット２０は、図３に示すように入射光束の光軸を折り曲げる折り曲げ光学系を採用している。そして、このレンズ鏡枠ユニット２０は、複数の光学レンズ（２３ａ，２３ｂ，２３ｃ，２４ａ，２５ａ，２０ｄ）等からなり被写体からの入射光束を受けて所定の被写体像を所定の位置に結像させる撮影光学系（折り曲げ光学系）と、この撮影光学系を構成する各光学レンズのそれぞれを群単位で保持する複数の鏡枠（２０，２３，２４，２５）及びこれらを内部に保護する全体鏡枠２０ｅ等によって主に構成されている。また、全体鏡枠２０ｅは、本実施形態に示されるように光学レンズを内部に直接保持する場合以外にも、光学レンズを保持する他の鏡枠を内部に保護するものでもよい。
【００３３】
本カメラ１の撮影光学系は、折り曲げ光学系が適用されており、被写体側から光軸（Ｏ１，Ｏ２）に沿って第１〜第４レンズ群がそれぞれ順に所定の間隔を置いて配置されている。そして、第１〜第４レンズ群は、第１〜第４レンズ鏡枠（２３，２４，２５，２０ａ）によってそれぞれ保持されている。このうち、第１レンズ鏡枠２３と第４レンズ鏡枠２０ａとは一体に形成されており、本レンズ鏡枠ユニット２０の主要部を構成している。また、第２レンズ鏡枠２４及び第３レンズ鏡枠２５は、第４レンズ鏡枠２０ａの内部において光軸Ｏ２に沿う方向に移動自在に配設されている。
【００３４】
なお、本実施形態のカメラ１のレンズ鏡枠ユニット２０においては、被写体からの光束が撮影光学系（折り曲げ光学系）を構成する各光学レンズを透過し最終的に後述する撮像素子３７の撮像面に至るまでの間の光軸について、被写体側から入射して所定部位で折り曲げられる以前の光束の光軸を符号Ｏ１で示し、当該所定部位にて折り曲げられた後の光軸を符号Ｏ２で示すものとする（図３参照）。
【００３５】
第１レンズ鏡枠２３は、本カメラ１の撮影光学系のうち第１レンズ群を固定保持する鏡枠である。この第１レンズ鏡枠２３は固定鏡枠である。この第１レンズ鏡枠２３によって固定保持される第１レンズ群は、複数の光学レンズ（２３ａ，２３ｂ，２３ｃ）からなる。すなわち、第１レンズ群は、本カメラ１の前側カバー１１の前面に対して平行となる面に沿って配置される対物レンズ２３ａと、この対物レンズ２３ａを透過した光束を受ける入射面２３ｂａ及び当該光束の光軸Ｏ１を角度略９０度だけ折り曲げて本カメラ１の底面側に向けて反射させる反射面２３ｂｂ及びこの反射面２３ｂｂで反射した光束が出射する出射面２３ｂｃを有し入射光束の光軸を折り曲げる反射光学部材である反射プリズム２３ｂと、この反射プリズム２３ｂから出射する光束を透過させ当該光束の光軸Ｏ２に対して直交する面に沿ってそれぞれ配置される二枚の光学レンズ２３ｃとによって構成されている。
【００３６】
第２レンズ鏡枠２４は、本カメラ１の撮影光学系のうち第２レンズ群を固定保持する鏡枠である。この第２レンズ鏡枠２４によって固定保持される第２レンズ群は、三枚の光学レンズ２４ａである。また、この第２レンズ鏡枠２４には、絞りシャッター機構２６が一体に配設されている。そして、この第２レンズ鏡枠２４は、第４レンズ鏡枠２０ａの内部において光軸Ｏ２に沿う方向に所定の範囲で移動自在に配設されている。
【００３７】
第３レンズ鏡枠２５は、本カメラ１の撮影光学系のうち第３レンズ群を固定保持する鏡枠である。この第３レンズ鏡枠２５によって固定保持される第３レンズ群は、一枚の光学レンズ２５ａである。そして、この第３レンズ鏡枠２５は、第４レンズ鏡枠２０ａの内部において光軸Ｏ２に沿う方向に所定の範囲で移動自在に配設されている。
【００３８】
第４レンズ鏡枠２０ａは、本カメラ１の撮影光学系のうち第４レンズ群を固定保持する鏡枠で全体鏡枠２０ｅと一体的に形成されている。この第４レンズ鏡枠２０ａによって固定保持される第４レンズ群は、結像レンズ２０ｄである。そして、この第４レンズ鏡枠２０ａは、上記第１レンズ鏡枠２３に連設される固定鏡枠である。第４レンズ鏡枠２０ａは、本レンズ鏡枠ユニット２０の主要部を形成しており、上記折り曲げ光学系のうち反射プリズム２３ｂにおいて折り曲げられた後の光軸Ｏ２が通過する光学系（２３ｃ，２４ａ，２５ａ，２０ｄ）に対応する部位に配置されている。
【００３９】
第４レンズ鏡枠２０ａの終端がわには、上記折り曲げ光学系（撮影光学系）を透過した後に結像される被写体像を受光して光電変換処理を行なうものであって、撮像素子３７が配設されている。この撮像素子３７は、プリント基板３８の基板上に配設されるアルミ製の台板３７ａを介して実装されている。そして、上記プリント基板３８の下面側、つまり撮像素子３７が実装される側の面に対して裏面側には、導電性の薄板形状からなるグランド板３９が配設されている。なお、グランド板３９及び台板３７ａは、ビス等によって第４レンズ鏡枠２０ａに対して共締め固定されている。これにより両者の電気的な導通が得られるようになっている。
【００４０】
上記グランド板３９は、所定の部位に配設された状態で本カメラ１の前面側の縁部において上方に向けた立ち曲げ部３９ａが形成されている。この立ち曲げ部３９ａには、弾性を有する付勢手段であって片持ち梁状の板ばね等からなる接触片３９ｂが形成されている。この接触片３９ｂは立ち曲げ部３９ａの先端縁部から延出させて形成されており、その自由端部は図４の矢印Ｘ方向に移動し得るようになっている。そして、本レンズ鏡枠ユニット２０がカメラ１の内部の所定の位置に配設された状態となったときには、接触片３９ｂは自身の弾性力に抗して前側カバー１１の内壁面によって図４の矢印Ｘ１方向に向けて押圧されるようになっている。これにより、この状態における導通性のグランド板３９の接触片３９ｂは、導通性の前側カバー１１に対して常に接触するようになっている。
【００４１】
つまり、この接触片３９ｂは、撮像素子３７の近傍に配置され、上記レンズ鏡枠ユニット２０（の第４レンズ鏡枠２０ａ）の一面を付勢して、これを保持する付勢手段であり鏡枠保持手段のうちの第１の保持部材として機能している。
【００４２】
また、第４レンズ鏡枠２０ａの前面側、すなわちレンズ鏡枠ユニット２０がカメラ１の内部における所定の位置に配置された状態で上記前側カバー１１の内壁面に対向する面の略中央部近傍の所定の部位には、外方に向けて突出する形状の二つのストッパ用ボス２０ｂが突設されている。
【００４３】
したがって、例えば外部からの意図しない負荷が前側カバー１１（前側パネル１１ｇ）の外面から加えられた時には、まず上記スポンジ状弾性部材４１によって加わる負荷が低減される。当該負荷がさらに大きなものである場合には、前側カバー１１の内壁面が二つのストッパ用ボス２０ｂに当接することになる。これによりレンズ鏡枠ユニット２０の前面に加わる負荷を受ける箇所が特定される。
【００４４】
一方、第４レンズ鏡枠２０ａの背面側、すなわちレンズ鏡枠ユニット２０がカメラ１の内部における所定の位置に配置された状態で、上記本体フレーム２２に対向する面の略中央部近傍の所定の部位には、外方に向けて突出する形状の二つの位置決め用ボス２０ｃが突設されている。この位置決め用ボス２０ｃは、本体フレーム２２の所定の部位に形成される二つの位置決め用孔部２２ａに嵌合するようになっている。したがって、上記二つの位置決め用ボス２０ｃは、本体フレーム２２の二つの位置決め用孔部２２ａと共に位置決め部として機能している。これによりレンズ鏡枠ユニット２０は本体フレーム２２に対して位置決めがなされている。
【００４５】
また、第４レンズ鏡枠２０ａの背面側には、例えば金属製の薄板部材２８が貼着等の手段によって配設されている。そして、上記レンズ鏡枠ユニット２０がカメラ１の内部における所定の位置に配置された状態で、当該薄板部材２８と本体フレーム２２とは、所定の部位において、例えば導電性を有する接着テープ２９によって簡易的に貼着されるようになっている。
【００４６】
ここで、当該接着テープ２９は、上記レンズ鏡枠ユニット２０の一部である薄板部材２８と本体フレーム２２とを簡易的に接着する接着性を有しているものである。つまり、これによりレンズ鏡枠ユニット２０（薄板部材２８）は、この薄板部材２８に対して平行な面を有して当該薄板部材２８に対向する位置に配設される本体フレーム２２に対して簡易的に保持されると同時に、薄板部材２８と本体フレーム２２との両者は、上記レンズ鏡枠ユニット２０がカメラ１の内部に配設された状態において電気的に導通状態とされるようになっている。
【００４７】
つまり、この場合において、位置決め用ボス２０ｃ及び位置決め用孔部２２ａからなる位置決め部は、当該位置決め部によって保持されるレンズ鏡枠ユニット２０の全体鏡枠２０ｅの所定の面、即ち薄板部材２８に対して平行となる面内に配置される本体フレーム２２の面上において当該レンズ鏡枠ユニット２０のカメラ１の幅方向に平行な面内で位置決めをおこなうようになっている。
【００４８】
なお、本体フレーム２２の背面側には、図４に示すように画像表示装置を構成する液晶表示パネル４０が配設されており、この液晶表示パネル４０の表示面に対向する側の面には、後側カバー１３の背面側の外面であって、上記液晶表示パネル４０の表示面や各種の操作部材（図示せず）を除く面を覆い保護する後側パネル１３ｇが例えば接着剤などによる接合手段によって貼着されている。
【００４９】
このように構成される本実施形態のカメラにおいて、その内部の所定の位置にレンズ鏡枠ユニット２０を配設すると、図４や図５に示すように当該レンズ鏡枠ユニット２０の一方の面（全体鏡枠２０ｅの前面）には、前側カバー１１が対向する位置に配設される。
【００５０】
このとき、前側カバー１１と全体鏡枠２０ｅの前面との間には、上記スポンジ状弾性部材４１が挟持される形態となる。また、これと同時にグランド板３９の接触片３９ｂが前側カバー１１の内壁面に接触した状態となる。これにより、レンズ鏡枠ユニット２０は、スポンジ状弾性部材４１及び接触片３９ｂによる付勢反力によって当該カメラ１の背面側に向けて付勢される。
【００５１】
一方、本体フレーム２２とレンズ鏡枠ユニット２０の背面側の薄板部材２８との間は、導電性を有する接着テープ２９にて簡易的に貼着される。これと同時に、全体鏡枠２０ｅの二つの位置決め用ボス２０ｃは、本体フレーム２２の二つの位置決め用孔部２２ａに嵌合される。これにより、レンズ鏡枠ユニット２０は、本体フレーム２２に対して所定の位置に位置決めされる。このとき、レンズ鏡枠ユニット２０は、上述したようにスポンジ状弾性部材４１及び接触片３９ｂによる付勢反力によって当該カメラ１の背面側に向けて付勢されており、その付勢反力は本体フレーム２２が受けている。したがって、これによりレンズ鏡枠ユニット２０は所定の位置に保持される
つまり、スポンジ状弾性部材４１及び接触片３９ｂは鏡枠保持手段であって第１の保持部材として機能しており、上記第４レンズ鏡枠２０ａの二つの位置決め用ボス２０ｃ及び本体フレーム２２の二つの位置決め用孔部２２ａは、鏡枠保持手段であって第２の保持部材として機能している。
【００５２】
換言すれば、本カメラ１の折り曲げ光学系のうち少なくとも折り曲げられた後の光軸Ｏ２が通過する光学系に対応した第４レンズ鏡枠２０ａのうち、上記折り曲げられた後の光軸Ｏ２に対して略平行する二面が、鏡枠保持手段としての第１の保持部材（スポンジ状弾性部材４１及び接触片３９ｂ）及び第２の保持部材（二つの位置決め用ボス２０ｃ及び二つの位置決め用孔部２２ａ）によって挟持するように保持される。
【００５３】
そして、本実施形態においては、鏡枠保持手段は、レンズ鏡枠ユニット２０の全体鏡枠２０ｅの所定の部位を、当該カメラ１の前後方向（前面及び背面）から挟持するように各構成部材が配置されている。
【００５４】
なお、鏡枠保持手段によって挟持されるレンズ鏡枠ユニット２０の全体鏡枠２０ｅと同一部材である第４レンズ鏡枠２０ａの部位は、レンズ鏡枠ユニット２０の内部に設けられており、入射光束の光軸を折り曲げる反射プリズム（反射光学部材）２３ｂと、入射光束に基づいて結像される被写体像を受光して光電変換処理を行なう撮像素子３７との間の部位となっている。
【００５５】
以上説明したように上記一実施形態によれば、前側カバー１１の内壁面の所定の部位にレンズ鏡枠ユニット２０の全体鏡枠２０ｅの一面（前面）を押圧し、これを当該カメラ１の背面側に向けて付勢する付勢手段であり緩衝材として機能するスポンジ状弾性部材４１を設けたので、レンズ鏡枠ユニット２０を保持することができると共に、カメラ１の外面から加えられる負荷を吸収することができる。したがってこれにより当該負荷によるレンズ鏡枠ユニット２０の第４レンズ鏡枠２０ａへの悪影響を抑止することができる。
【００５６】
これと同時に、撮像素子３７の近傍に設けられるグランド板３９に、付勢力を有する接触片３９ｂを形成し、この接触片３９ｂが前側カバー１１の内壁面に接触するようにしたので、当該接触片３９ｂの付勢反力によりレンズ鏡枠ユニット２０の全体鏡枠２０ｅの一面（前面）を押圧しこれを当該カメラ１の背面側に向けて付勢することで、レンズ鏡枠ユニット２０を保持することができる。したがってこれにより、当該負荷によるレンズ鏡枠ユニット２０の第４レンズ鏡枠２０ａへの悪影響を抑止することができる。
【００５７】
さらに、当該接触片３９ｂは前側カバー１１に当接することで両者間の電気的な導通状態を常に確保するようにしていることから、例えば外部からの当該カメラ１の内部へと流入する静電気等を確実にグランド板３９へと導くことができる。したがって、本カメラ１の内部電気回路の保護にも寄与している。
【図面の簡単な説明】
【００５８】
【図１】本発明の一実施形態のレンズ装置を具備するカメラの主に前面側及び右側面を示す外観斜視図。
【図２】図１のカメラの構成部材のうち外装部材の一部（前側カバー）とレンズ装置と本体フレームとを取り出して示す要部分解斜視図。
【図３】図１のカメラにおけるレンズ装置の内部構成を示す図であって、図１のIII−III線に沿う縦断面図。
【図４】図１のカメラにおける撮像素子近傍の構成部材を取り出して示す要部拡大斜視図。
【図５】本実施形態のレンズ装置とこれを保持する鏡枠保持部材との位置関係をを示す概略図。
【符号の説明】
【００５９】
１……カメラ
１１……前側カバー
１１ａ……撮影レンズ窓
１１ｂ……閃光発光窓
１１ｇ……前側パネル
１１ｈ……前枠
１１ｊ……保護用光学部材
１２……中カバー
１２ｊ……シールド板
１３……後側カバー
１３ｇ……後側パネル
１６……シャッターボタン
１７……設定ダイアル
２０……レンズ鏡枠ユニット
２０ａ……第４レンズ鏡枠
２０ｂ……ストッパ用ボス
２０ｃ……位置決め用ボス
２０ｄ……結像レンズ
２０ｅ……全体鏡枠
２２……本体フレーム
２２ａ……位置決め用孔部
２３……第１レンズ鏡枠
２３ａ……対物レンズ
２３ｂ……反射プリズム
２３ｂａ……入射面
２３ｂｂ……反射面
２３ｂｃ……出射面
２３ｃ……光学レンズ
２４……第２レンズ鏡枠
２４ａ……光学レンズ
２５……第３レンズ鏡枠
２５ａ……光学レンズ
２６  シャッター機構
２８  薄板部材
２９……接着テープ
３７……撮像素子
３７ａ……台板
３８……プリント基板
３９……グランド板
３９ａ……立ち曲げ部
３９ｂ……接触片
４１……スポンジ状弾性部材
代理人弁理士伊藤進
【図１】
2005257784.tif 000003
【図２】
2005257784.tif 000004
【図３】
2005257784.tif 000005
【図４】
2005257784.tif 000006
【図５】
2005257784.tif 000007